(57)【要約】      （修正有）【課題】海藻を海や陸地などで増養殖を行うため、フノリ類やフクロノリ、マツモ、褐藻類などの胞子をコンクリート製の育成・増殖礁の表壁面や増殖礁の育成・増殖板の表壁面などに固着させて養殖を行う育成・増殖礁を提供する。【解決手段】育成・増殖礁は形状がＵ字型の形で、高炉スラグ微粉末や貝殻等の微粉末をセメントと混合するコンクリート製で、フノリ類やフクロノリ、マツモ等の海藻の胞子が固着する表壁面を凸凹１にして、壁面を左右の外・内側と床面の５つの面にして固着面積を増やし、壁と床面の内部を空間３にして軽量化を図り、さらに、育成・増殖礁の強度と安定性を保つため壁を支柱２で連結し、底床部に脚部をつけ、採苗水槽で育成・増殖礁の表壁面等の凸凹１面にフノリ類やフクロノリ、マツモ等の胞子を固着させて増養殖を行うための育成・増殖礁。【選択図】図１
0003193736.tif 000002
【実用新案登録請求の範囲】
【請求項１】
採取したフノリ類の母藻を半日陰干しした後、母藻を約２０℃位の海水の入った採苗水槽に入れ遊走子を放出させて、養殖用ロープやコンクリートブロック（Ｈ型）などを水槽にいれて、フノリ類の胞子を養殖用ロープやコンクリートブロック（Ｈ型）の表壁面に付着させ、その付着させた後、海や海岸の養殖施設、陸上施設で養殖を行うフノリ類などの養殖用ロープやコンクリートブロック（Ｈ型）などによる増養殖。
【請求項２】
採取したマツモの母藻を一晩陰干しして、海水の入った採苗水槽に入れ遊走子を放出させて、養殖用ロープやコンクリートブロック（Ｈ型）などを水槽にいれて、マツモの胞子を養殖用ロープやコンクリートブロック（Ｈ型）の表壁面に付着させて、その付着させた養殖用ロープを海岸や陸上施設に設置して養殖を行ったり、海でマツモなどの養殖を行うコンクリートブロック（Ｈ型）などによる増養殖。
【請求項３】
採取したフクロノリの母藻を一晩陰干した後、海水の入った採苗水槽に入れ遊走子を放出させて、その後、養殖用ロープやコンクリートブロック（Ｈ型）などを水槽に一緒にいれて、フクロノリの胞子を養殖用ロープやコンクリートブロック（Ｈ型）の表壁面に付着させて、その付着させた後、海や海岸の養殖施設や陸上施設で養殖を行うフクロノリなどの養殖用ロープやコンクリートブロック（Ｈ型）などによる増養殖。
【請求項４】
褐藻類のコンブやワカメの母藻を海水の入った採苗水槽に入れ遊走子を放出させて、その後、コンクリートブロック（Ｈ型など）を水槽に一緒にいれて、コンブやワカメの胞子をコンクリートブロック（Ｈ型など）の表壁面に付着させて、その付着させた後、海や海岸の養殖施設で養殖を行うコンブやワカメなどのコンクリートブロック（Ｈ型など）などによる増養殖。
【考案の詳細な説明】
【技術分野】
【０００１】  本考案は、紅藻類フノリ科フノリ属フノリ（以下、フノリ類という。）や褐藻類カヤモノリ科フクロノリ（以下、フクロノリという。）及び褐藻類イソガワラ科マツモ（以下、マツモという。）などの海藻を海や陸地などで増養殖を行うため、フノリ類やフクロノリ、マツモ、褐藻類などの胞子を養殖用ロープやコンクリートブロック（Ｈ型）の表壁面などに付着させて養殖を行うことに関するものである。
【背景技術】
【０００２】  フノリの増殖技術の発祥は、１８９２年頃から青森県下北郡下風呂で、フクロフノリを対象とした投石事業が実施されている。その方法は、フノリ採取後の７月から８月に山石を投石するものであったとされ、現在においても増殖技法は、一般的には磯掃除後、投石、施肥など、以前と同様に従来の技術的技法で行われている。
【先行技術文献】
【特許文献】
【０００３】
【特許文献１】実公平０１−４２４５２号公報
【非特許文献】
【０００４】
【非特許文献１】鹿児島水産試験。要覧  第３編  増・養殖部門
【考案の概要】
【考案が解決しようとする課題】
【０００５】  近年、海藻自体が繁殖する海岸の岩場が温暖化現象により、フノリ類やフクロノリ、マツモなど海藻の生産量も年々減少傾向にあり、増養殖によりその生産量を高めることが本考案が解決しようとする課題である。
【課題を解決するための手段】
【０００６】  フノリ類やフクロノリ、マツモなどの海藻は成長してもコンブ、ワカメなどのように大きくならない海藻類であり、フノリ類などは大きさが２０ｃｍ位にしか成長しない。コンブ、ワカメが海中の比較的深いところで成長するのに対し、フノリ類などは海岸の浅瀬で成長する。このようなことから、養殖用ロープやコンクリートブロック（Ｈ型）の表壁面などにフノリ類やフクロノリ、マツモ、褐藻類などの胞子を直接付着させて、海や陸地での養殖施設において養殖を行うことにより、新たな養殖技法の確立と生産量の向上を図ることになる。
【考案の効果】
【０００７】  本考案によるフノリ類やフクロノリ、マツモ、褐藻類などの海藻の胞子を養殖用ロープやコンクリートブロック（Ｈ型）の表壁面などに直接付着させて養殖を行うことにより安定的な生産を可能とする。
海での養殖が可能となれば、陸上部におけるフノリ類やフクロノリ、マツモなどの海藻の養殖を行うことが可能となる。
【図面の簡単な説明】
【０００８】
【図１】フノリ類等の養殖施設を示した平面図である。
【図２】フノリ類等の養殖施設を示した断面図である。
【図３】フノリ類等の養殖施設を示した全体図である。
【図４】フノリ類等の陸上養殖施設を示した平面図である。
【図５】フノリ類等の陸上養殖施設を示した断面図である。
【図６】フノリ類等の養殖用ロープを網目状にした平面図である。
【図７】フノリ類等の胞子を付着させたコンクリートブロック（Ｈ型）の平面図である。
【図８】フノリ類等の胞子の採苗水槽の断面図である。
【考案を実施するための形態】
【０００９】  以下、本考案の実施の形態を図１から図８に基づいて説明する。
【実施例】
【００１０】  養殖方法としては、フノリ類などの養殖施設の全体図（図３）及びフノリ類などの養殖施設の設置平面図（図１）のように、１胞子を付着させた養殖用ロープを設置して、その養殖用ロープを結ぶため、２支柱を設置し、養殖用ロープと支柱とを、３フックで連結して養殖用ロープに弾力性をもたせる。生産性を高めるため、フノリ類などの養殖施設の断面図（図２）に示すように、１胞子を付着させた養殖用ロープを５段式にしたりするなど数多くの養殖用ロープを設置する。
また、海での養殖施設と同様の施設を海岸沿いの陸上部に、フノリ類などの陸上養殖施設の平面図（図４）及びフノリ類などの陸上養殖施設の断面図（図５）のように養殖施設を整備し、フノリ類やフクロノリ、マツモなどの海藻の、１胞子を付着させた養殖ロープを設置して養殖を行う。海での養殖の場合には、養殖用ロープが波で破損しないように、２支柱を設置し、４支柱杭を直接岩盤に打ち込み設置する。また、波による養殖施設の破損を避けるために、５網目状にしたフノリ類などの胞子を付着させた養殖用ロープ（図６）を岩やコンクリートブロック（図６−１）などに固定したり、フノリ類などの胞子を付着させたコンクリートブロック（Ｈ型）の平面図（図７）及び、コンクリートブロック（Ｈ型）の表面図（図７−１）のように、９胞子を付着させたコンクリートブロック（Ｈ型）の表壁面に胞子を直接付着させて養殖を行う。
フノリ類の胞子の採取方法としては、採取したフノリ類の母藻を半日陰干し、海水の入った養殖用ロープの採苗水槽（図８）やコンクリートブロック（Ｈ型）の採苗水槽（図８−１）にそのフノリ類を入れ遊走子を放出させて、その後、養殖用ロープやコンクリートブロック（Ｈ型）などを採苗水槽にいれて、養殖用ロープやコンクリートブロックに遊走子の付着率を高めてフノリ類の胞子を付着させる。
また、マツモやフクロノリの胞子の採取方法についてもフノリ類の採取方法と同じように行う。
褐藻類のワカメやコンブについてもコンクリートブロックなどに付着率を高めて胞子を付着させることにより増養殖の活用につながることとなる。
陸上でフノリ類やフクロノリ、マツモなどの養殖を行うためには、６海水の取水管や、７海水の排水管を整備し、海水を取水し、施設の排水を行うなど海水の流れを作り、フノリ類やフクロノリ、マツモなどの養殖を行う陸上養殖施設を整備し行う。
【産業上の利用可能性】
【００１１】  フノリ類の利用については、これまで糊や歯磨き粉や麺類の繋ぎなどに利用されている。
また、食用として味噌汁の具や海藻サラダなど様々な分野での利用が図られており、フクロノリについてもガムや、マツモについては食用として幅広く活用されており、今後、増養殖が可能となり安定供給が図られると、フノリ類などの成分を生かした産業上の利用分野がさらに広がることにつながる。
【符号の説明】
【００１２】１  胞子を付着させた養殖用ロープ
２  支柱
３  フック
４  支柱杭
５  網目状にした胞子を付着させた養殖用ロープ
６  海水の取水管
７  海水の排水管
８  養殖用ロープを固定するための針金、ゴムバンド
９  胞子を付着させたコンクリートブロック（Ｈ型）の表壁面
【図１】
0003193736.tif 000003
【図２】
0003193736.tif 000004
【図３】
0003193736.tif 000005
【図４】
0003193736.tif 000006
【図５】
0003193736.tif 000007
【図６】
0003193736.tif 000008
【図７】
0003193736.tif 000009
【図８】
0003193736.tif 000010
【手続補正書】
【提出日】平成26年5月21日(2014.5.21)
【手続補正１】
【補正対象書類名】明細書
【補正対象項目名】全文
【補正方法】変更
【補正の内容】
【考案の詳細な説明】
【技術分野】
【０００１】  本考案は、紅藻類フノリ科フノリ属フノリ（以下、フノリ類という。）や褐藻類カヤモノリ科フクロノリ（以下、フクロノリという。）及び褐藻類イソガワラ科マツモ（以下、マツモという。）などの海藻を海や陸地などで増養殖を行うため、フノリ類やフクロノリ、マツモ、褐藻類などの胞子を養殖用ロープやコンクリート製の育成・増殖礁の表壁面などに固着させて養殖を行うことに関するものである。
【背景技術】
【０００２】  フノリの増殖技術の発祥は、１８９２年頃から青森県下北郡下風呂で、フクロフノリを対象とした投石事業が実施されている。その方法は、フノリ採取後の７月から８月に山石を投石するものであったとされ、現在においても増殖技法は、一般的には磯掃除後、投石、施肥など、以前と同様に従来の技術的技法で行われている。
【先行技術文献】
【特許文献】
【０００３】
【特許文献１】実公平０１−４２４５２号公報
【非特許文献】
【０００４】
【非特許文献１】鹿児島水産試験。要覧  第３編  増・養殖部門
【考案の概要】
【考案が解決しようとする課題】
【０００５】  近年、海藻自体が繁殖する海岸の岩場が温暖化現象により、フノリ類やフクロノリ、マツモなど海藻の生産量も年々減少傾向にあり、増養殖によりその生産量を高めることが本考案が解決しようとする課題である。
【課題を解決するための手段】
【０００６】  フノリ類やフクロノリ、マツモなどの海藻は成長してもコンブ、ワカメなどのように大きくならない海藻類であり、フノリ類などは大きさが２０ｃｍ位にしか成長しない。コンブ、ワカメが海中の比較的深いところで成長するのに対し、フノリ類などは海岸の浅瀬で成長する。このようなことから、養殖用ロープやコンクリート製の育成・増殖礁の表壁面などにフノリ類やフクロノリ、マツモ、褐藻類などの胞子を直接固着させて、海や陸地での養殖施設において養殖を行うことにより、新たな養殖技法の確立と生産量の向上を図ることになる。
【考案の効果】
【０００７】  本考案によるフノリ類やフクロノリ、マツモ、褐藻類などの海藻の胞子を養殖用ロープやコンクリート製の育成・増殖礁の表壁面などに直接固着させて養殖を行うことにより安定的な生産を可能とする。  海での養殖が可能となれば、陸上部におけるフノリ類やフクロノリ、マツモなどの海藻の養殖を行うことが可能となる。
【図面の簡単な説明】
【０００８】
【図１】フノリ類等の養殖用ロープを網目状にした平面図である。
【図２】フノリ類等の育成・増殖礁の平面図である。
【図３】フノリ類等の遊走子・胞子の採苗水槽の断面図である。
【考案を実施するための形態】
【０００９】  以下、本考案の実施の形態を図１から図３に基づいて説明する。
【実施例】
【００１０】フノリ類やフクロノリ、マツモなどの海藻を海岸や海中で育成・増養殖を行うために、１胞子を固着させた養殖用ロープが波等による破損を防ぐため、フノリ類やフクロノリ、マツモ等の胞子を付着させた養殖用ロープを網目状（図１）にして、岩やコンクリートブロック等（図１−１）に、２養殖用ロープをワイヤーロープ等で固定して（図１−２の拡大図）、４養殖用ロープをフックで連結し、更に、養殖用ロープを、３コイル状のリングで固定して養殖用ロープを海中で安定させ、波で破損しないようにし海中での安定化を図る。また、コンクリート製のフノリ類等の育成・増殖礁（図２）の外側の表壁面や内側の壁面及び床面にフノリ類やフクロノリ、マツモ等の海藻の胞子を固着させ、５胞子の着床凸凹面に根づかせ育成・繁茂させ養殖を行う。育成・増殖礁はコンクリート製（Ｕ字型）で、育成・増殖礁の軽減化と強度を図るため、育成・増殖礁の内部を空間にし、６育成・増殖礁の内部を支柱で補強する。採苗水槽内でフノリ類等の胞子を固着させ、育成・増殖礁の移動を容易にするために、７取手部分を育成・増殖礁の上部につける。育成・増殖礁を海岸、海中に設置する際に、海岸海中等での安定を図るため、８育成、養殖礁の安定脚を育成・増殖礁の下部に取り付ける。フノリ類の胞子の採取は母藻を海水の入ったフノリ類等の遊走子・胞子の採苗水槽（図３）に入れ遊走子を放出させて、その後、養殖用ロープを採苗水槽にいれて遊走子の付着率を高めて胞子を固着させる。同じように、コンクリート製（Ｕ字型）育成・増殖礁の採苗水槽（図３−１）にフノリ類の母藻を入れ遊走子を放出させて、その後、育成・増殖礁を採苗水槽にいれて凸凹の表壁面に胞子を固着させる。フノリ類が成長し老成、脱落した後、育成・増殖礁を海岸、海中より引き揚げ再度フノリ類等の遊走子・胞子を固着させて養殖を行う。マツモやフクロノリの胞子の採取方法についても、フノリ類の採取方法と同じように行い、養殖用ロープやコンクリート製（Ｕ字型）を採苗水槽にいれて胞子を固着させ海岸や海中に移動し養殖を行う。また、褐藻類のワカメやコンブなどについても、コンクリート製（Ｕ字型）育成・養殖礁等に付着率を高めて、胞子を固着させることにより増養殖の活用につながることとなる。
【産業上の利用可能性】
【００１１】  フノリ類の利用については、これまで糊や歯磨き粉や麺類の繋ぎなどに利用されている。  また、食用として味噌汁の具や海藻サラダなど様々な分野での利用が図られており、フクロノリについてもガムや、マツモについては食用として幅広く活用されており、今後、増養殖が可能となり安定供給が図られると、フノリ類などの成分を生かした産業上の利用分野がさらに広がることにつながる。
【符号の説明】
【００１２】１  胞子を付着させた養殖用ロープ２  養殖用ロープを固定するワイヤーロープ等３  コイル状のリング４  養殖用ロープを連結するフック５  胞子の着床凸凹面６  育成・増殖礁の補強支柱７  取手８  育成・増殖礁の安定脚
【手続補正２】
【補正対象書類名】実用新案登録請求の範囲
【補正対象項目名】全文
【補正方法】変更
【補正の内容】
【実用新案登録請求の範囲】
【請求項１】
育成・増殖礁の形状はＵ字型の形で表壁面を荒削りの凸凹の状態にし、さらに表壁面の内側をくり抜いた部分をつくり胞子を固着しやすくし、フノリ類やフクロノリ、マツモ等の海藻の胞子が固着する壁面を左右の両面壁と底床面の５つの面をつくり固着面積を増やし、育成・増殖礁はコンクリート製（貝殻等を粉末状にしてコンクリートに混入させ養分を含ませる。）で軽量化と強度を保つため両縦壁面と底床面の内部を空間にして、内部に支柱を連結させ育成・増殖礁の強度を保ち、海中等で育成・増殖礁の安定を保つため底床部分に脚部をつけ、フノリ類やフクロノリ、マツモ等の母藻の入った採苗水槽に育成・増殖礁を入れ母藻から遊走子を放出させて胞子を固着させ増養殖を行う育成・増殖礁。
【請求項２】
フノリ類やフクロノリなどの海藻は成長しても大きくならない海藻で、海中での養殖を行うために、養殖用ロープの形状を網目を大きくしてロープを繋ぎ合わせ、ロープを支え安定化を図るためにロープの裏面の底部にワイヤーロープ製の支柱線をはりロープを固定するコイル状のリングでロープを底部の支柱線と連結させ、岩やコンクリートブロック等に固定できるようにしたもので、海中での養殖用ロープを安定させ、フノリ類の母藻の入った採苗水槽に網目状の養殖用ロープを入れ、母藻から遊走子を放出させて胞子をロープに固着させ増養殖を海中で行う波等による破損を防ぐ増養殖を行う網目状の養殖ロープ。
【請求項３】
褐藻類のコンブやワカメ用としての育成・増殖礁の形状はＵ字型で、左右の縦両壁及び底床部分の表面を荒削りの部分と滑らかな部分を作り荒削りの部分は内部をくり抜いた部分を作り比較的深い凸凹の状態にし、コンブ、ワカメの胞子が付着する壁面の着床面積を増やし、育成・増殖礁をコンクリート製（貝殻等を粉末状にしてコンクリートに混入させ養分を含ませる。）で軽量化と強度を図るため内部を空間にし内部に支柱を連結させ、育成・増殖礁の安定を保つため底床を重くし、さらに重量のある脚部を付け、コンブ、ワカメの母藻の入った採苗水槽に育成・増殖礁を入れて母藻から遊走子を放出させて胞子を固着させて増養殖を行う育成・増殖礁。
【手続補正３】
【補正対象書類名】図面
【補正対象項目名】全図
【補正方法】変更
【補正の内容】
【図１】
0003193736.tif 000011
【図２】
0003193736.tif 000012
【図３】
0003193736.tif 000013
【手続補正書】
【提出日】平成26年7月31日(2014.7.31)
【手続補正１】
【補正対象書類名】実用新案登録請求の範囲
【補正対象項目名】全文
【補正方法】変更
【補正の内容】
【実用新案登録請求の範囲】
【請求項１】
育成・増殖礁は形状がＵ字型の形で、高炉スラグ微粉末や貝殻等の微粉末をセメントと混合するコンクリート製で、フノリ類やフクロノリ、マツモ等の海藻の胞子が固着する表壁面を凸凹にして、壁面を左右の外・内側と床面の５つの面にして固着面積を増やし、壁と床面の内部を空間にして軽量化を図り、さらに、育成・増殖礁の強度と安定性を保つため壁を支柱で連結し、底床部に脚部をつけ、採苗水槽で育成・増殖礁の表壁面等の凸凹面にフノリ類やフクロノリ、マツモ等の胞子を固着させて増養殖を行うための育成・増殖礁。
【請求項２】
育成・増殖礁はＵ字型の形状で育成・増殖板と育成・増殖礁の支柱と床面の支柱とを接合するＵ字型の形で、育成・増殖礁の支柱、外枠及び脚部がコンクリート製で、育成・増殖板を取り外すと育成・増殖礁の軽量化と移動を容易にすることができ、また、育成・増殖板は高炉スラグ微粉末や貝殻等の微粉末をセメントと混合するコンクリート製で、その表壁面を凸凹にし、採苗水槽に育成・増殖板を入れて、その表面の凸凹面にフノリ類やフクロノリ、マツモ、コンブ、ワカメ等の胞子を固着させ、その育成・増殖板と接合して増養殖を行うための育成・増殖礁。
【請求項３】
褐藻類のコンブやワカメ等の育成・増殖礁は形状がＵ字型の形で、高炉スラグ微粉末や貝殻等の微粉末をセメントと混合するコンクリート製で、コンブ、ワカメ等は大きく成長することから胞子が固着する表壁面を深めの星型等の凸凹にして凸凹面の間隔を広げ、胞子が固着する壁面を左右の外・内側と床面の５つの面にし、軽量化を図るために壁と床面の内部を空間にし、さらに、育成・増殖礁の強度と安定性を保つため壁を支柱で連結し、底床部に脚部をつけ、採苗水槽で育成・増殖礁の表壁面等の凸凹面にコンブ、ワカメ等の胞子を固着させて増養殖を行うための育成・増殖礁。
【手続補正３】
【補正対象書類名】明細書
【補正対象項目名】０００１
【補正方法】変更
【補正の内容】
【０００１】  本考案は、紅藻類フノリ科フノリ属フノリ（以下、フノリ類という。）や褐藻類カヤモノリ科フクロノリ（以下、フクロノリという。）及び褐藻類イソガワラ科マツモ（以下、マツモという。）などの海藻を海や陸地などで増養殖を行うため、フノリ類やフクロノリ、マツモ、褐藻類などの胞子をコンクリート製の育成・増殖礁の表壁面や増殖礁の育成・増殖板の表壁面などに固着させて養殖を行うことに関するものである。
【手続補正４】
【補正対象書類名】明細書
【補正対象項目名】０００６
【補正方法】変更
【補正の内容】
【０００６】  フノリ類やフクロノリ、マツモなどの海藻は成長してもコンブ、ワカメなどのように大きくならない海藻類であり、フノリ類などは大きさが２０ｃｍ位にしか成長しない。コンブ、ワカメが海中の比較的深いところで成長するのに対し、フノリ類などは海岸の浅瀬で成長する。このようなことから、コンクリート製の育成・増殖礁の表壁面や増殖礁の育成・増殖板の表壁面などにフノリ類やフクロノリ、マツモ、褐藻類などの胞子を直接固着させて、海や陸地での養殖施設において養殖を行うことにより、新たな養殖技法の確立と生産量の向上を図ることになる。
【手続補正５】
【補正対象書類名】明細書
【補正対象項目名】０００７
【補正方法】変更
【補正の内容】
【０００７】  本考案によるフノリ類やフクロノリ、マツモ、褐藻類などの海藻の胞子をコンクリート製の育成・増殖礁の表壁面や増殖礁の育成・増殖板の表壁面などに直接固着させて養殖を行うことにより安定的な生産を可能とする。
海での養殖が可能となれば、陸上部におけるフノリ類やフクロノリ、マツモなどの海藻の養殖を行うことが可能となる。
【手続補正６】
【補正対象書類名】明細書
【補正対象項目名】０００８
【補正方法】変更
【補正の内容】
【０００８】
【図１】フノリ類等の育成・増殖礁の平面図である。
【図２】フノリ類等の育成・増殖板設置後の育成・増殖礁の平面図である。
【図３】フノリ類等の遊走子・胞子の採苗水槽の断面図である。
【手続補正７】
【補正対象書類名】明細書
【補正対象項目名】００１０
【補正方法】変更
【補正の内容】
【００１０】  フノリ類やフクロノリ、マツモなどの海藻を海岸や海中で育成・増養殖を行うために、コンクリート製のフノリ類等の育成・増殖礁（図１）の外側の表壁面や内側の壁面及び床面にフノリ類やフクロノリ、マツモ等の海藻の胞子を固着させ、１胞子の着床凸凹面に根づかせ育成・繁茂させ養殖を行う。育成・増殖礁はコンクリート製（Ｕ字型）で、育成・増殖礁の軽減化と強度を図るため、３育成・増殖礁の内部を空間（図１−１の正面図）にし、２育成・増殖礁の内部を支柱で補強する。採苗水槽内（図３）でフノリ類等の胞子を固着させ、育成・増殖礁の移動を容易にするために、４取手部分を育成・増殖礁の上部につける。育成・増殖礁を海岸、海中に設置する際に、海岸海中等での安定を図るため、５育成、養殖礁の安定脚を育成・増殖礁の下部に取り付ける。また、フノリ類やフクロノリ、マツモ、褐藻類などの胞子を固着させた６増殖礁の育成・増殖板（図２−１及び図２−２）をフノリ類等の育成・増殖礁に設置（図２）し、増養殖を行う。
フノリ類等の胞子を固着しやすいようにするため、育成・増殖礁の表壁面や育成・増殖板の表壁面に多くの凸凹（図２−３着床凸凹面の拡大図）をつくる。
フノリ類等の胞子の採取は、母藻を海水の入った採苗水槽（図３）に入れて、母藻から遊走子を放出させて、その後、育成・増殖礁や育成・増殖板などを採苗水槽にいれて凸凹の表壁面に胞子を固着させる。
フノリ類が成長し老成、脱落した後、育成・増殖礁を海岸、海中より引き揚げ再度フノリ類等の遊走子・胞子を固着させて養殖を行う。
マツモやフクロノリの胞子の採取方法についても、フノリ類の採取方法と同じように行い、コンクリート製（Ｕ字型）の育成・増殖礁や育成・増殖板などを採苗水槽に入れて胞子を固着させ海岸や海中に移動し養殖を行う。
また、褐藻類のワカメやコンブなどについても、コンクリート製（Ｕ字型）育成・養殖礁や育成・増殖板などに胞子を固着させることにより育成・増養殖を図れば、更なる増養殖の活用につながることとなる。
【手続補正８】
【補正対象書類名】明細書
【補正対象項目名】００１２
【補正方法】変更
【補正の内容】
【００１２】１  胞子の着床凸凹面
２  育成・増殖礁内部の補強支柱
３  育成・増殖礁壁内の空間部
４  取手
５  育成・増殖礁の安定脚
６  育成・増殖板
７  育成・増殖礁の補強支柱
【手続補正９】
【補正対象書類名】図面
【補正対象項目名】全図
【補正方法】変更
【補正の内容】
【図１】
0003193736.tif 000014
【図２】
0003193736.tif 000015
【図３】
0003193736.tif 000016